(57)【特許請求の範囲】
【請求項１】
本体を含み、前記本体の中には前方に開口した作業空間が設置され、前記作業空間の中には調節機構が設置され、前記作業空間の外側には放熱機構が設置され、前記本体の中において前記作業空間の上方には前記作業空間と連通した放熱空間が設置され、前記放熱空間の上方には第一プーリー空間が設置され、前記作業空間の下方には前記作業空間と連通した冷却空間が設置され、前記冷却空間の下方には第二プーリー空間が設置され、前記第二プーリー空間の下方には第三プーリー空間が設置され、前記第三プーリー空間の下方には変速空間が設置され、前記変速空間の中には変速機構が設置され、前記変速空間の後側には第一矩形溝が形成され、前記変速空間の右側には前記変速空間と連通した調節空間が設置され、前記調節空間の中には移動機構が設置され、前記調節空間の右側には第二矩形溝が形成され、前記本体の中には前記第三プーリー空間を貫通した第一親ねじが回転できるように設置され、前記第一親ねじの上端が前記作業空間の中に延びており、前記第一親ねじの上端が、前記作業空間の中に固定された第一位置制限ブロックに回転できるように連結され、前記第三プーリー空間の中には前記第一親ねじと固定的に連結された第一プーリーが設置され、前記第一親ねじの下端が前記第二矩形溝の中に延びており、前記第一親ねじの下端には第一傘歯車が固定的に設置されていることを特徴とする調整や放熱に便利なサーバーキャビネット。
【請求項２】
前記調節機構は、前記本体の中に回転できるように装着された第二親ねじを含み、前記第二親ねじが前記第三プーリー空間を貫通し、前記第二親ねじの上端が前記作業空間の中に延びており、前記第二親ねじの上端が、前記作業空間の中に固定された第二位置制限ブロックに回転できるように連結され、前記第三プーリー空間の中には前記第二親ねじと固定的に連結された第二プーリーが設置され、前記第二プーリーと前記第一プーリーとが第一ベルトにより伝動できるように連結され、前記第二親ねじの下端が前記本体の中に延びており、前記第二親ねじの下端には第一モーターが伝動できるように設置され、前記作業空間の中には前記第二親ねじと前記第一親ねじとねじ山により連結された装着板がスライドできるように設置され、前記装着板の中には上下に貫通した通気孔が設置され、前記作業空間の内壁には温度センサーとコントローラーが固定的に設置されていることを特徴とする請求項１に記載の調整や放熱に便利なサーバーキャビネット。
【請求項３】
前記放熱機構は、前記第一プーリー空間と前記放熱空間との間に回転できるように装着された第一駆動軸を含み、前記第一駆動軸の上端が前記第一プーリー空間の中に延びており、前記第一駆動軸の上端には第三プーリーが固定的に設置され、前記第一駆動軸の下端が前記放熱空間の中に延びており、前記第一駆動軸の上端には放熱ファンが固定的に設置され、前記放熱空間の中には第一埃離隔網が固定的に設置され、前記放熱空間の上方には前記放熱空間と連通しかつ上方に開口した放熱管が左右対称に設置され、前記冷却空間と前記第二プーリー空間との間には第二駆動軸が回転できるように設置され、前記第二駆動軸の上端が前記冷却空間の中に延びており、前記第二駆動軸の上端には冷却ファンが固定的に設置され、前記第二駆動軸の下端が前記第二プーリー空間の中に延びており、前記第二駆動軸の下端には第四プーリーが固定的に設置され、前記冷却空間の中には第二埃離隔網が固定的に設置され、前記第一プーリー空間と前記第一矩形溝との間には前記第二プーリー空間を貫通した第三駆動軸が回転できるように設置され、前記第三駆動軸の上端が前記第一プーリー空間の中に延びており、前記第三駆動軸の上端には第五プーリーが固定的に設置され、前記第五プーリーと前記第三プーリーとは第二ベルトにより伝動できるように連結され、前記第二プーリー空間の中には前記第三駆動軸と固定的に連結された第六プーリーが設置され、前記第六プーリーと前記第四プーリーとが第三ベルトにより伝動できるように連結され、前記第三駆動軸の下端が前記第一矩形溝の中に延びており、前記第三駆動軸の下端には第二傘歯車が固定的に設置されていることを特徴とする請求項１に記載の調整や放熱に便利なサーバーキャビネット。
【請求項４】
前記変速機構は、前記本体の中に回転できるように装着された第一スプライン軸を含み、前記第一スプライン軸が前記変速空間を貫通しており、前記第一スプライン軸の後端が前記第一矩形溝の中に延びており、前記第一スプライン軸の後端には前記第二傘歯車と噛み合った第三傘歯車が固定的に設置され、前記変速空間の中には前記第一スプライン軸とスプラインにより連結された第一摩擦輪が前後対称に設置され、前記第一摩擦輪の中には内方に開口したばね溝が形成され、二つの前記ばね溝の壁が圧縮ばねによって連結され、前記圧縮ばねが前記第一スプライン軸をカバーしていることを特徴とする請求項３に記載の調整や放熱に便利なサーバーキャビネット。
【請求項５】
前記移動機構は、前記調節空間の中にスライドできるように装着されたねじ山ブロックを含み、前記ねじ山ブロックの中には右方に開口した行程溝が形成され、前記調節空間と前記第二矩形溝との間には前記ねじ山ブロックとねじ山により連結された第三親ねじが回転できるように設置され、前記第三親ねじの右端が前記第二矩形溝の中に延びており、前記第三親ねじの右端には前記第一傘歯車と噛み合った第四傘歯車が固定的に設置され、前記ねじ山ブロックの上端には第一固定板が前後対称に且つ固定的に設置され、前記第一固定板の間には第四駆動軸が回転できるように設置され、前記調節空間の中には前記第四駆動軸と固定的に連結された第二摩擦輪が前後対称に設置され、前記第二摩擦輪が前記第一摩擦輪と接触しており、前記第四駆動軸の後端が前記第一固定板から伸び出し、前記第四駆動軸の後端には第五傘歯車が固定的に設置され、前記ねじ山ブロックの上端には第二固定板が固定的に設置され、前記第二固定板の中にはスプラインスリーブが回転できるように設置され、前記スプラインスリーブの左端が前記第二固定板から伸び出し、前記スプラインスリーブの左端には前記第五傘歯車と噛み合った第六傘歯車が固定的に設置され、前記調節空間の左右壁には前記スプラインスリーブとスプラインにより連結された第二スプライン軸が回転できるように設置され、前記第二スプライン軸の左端が前記本体の中に延びており、前記第二スプライン軸の左端には第二モーターが伝動できるように設置されていることを特徴とする請求項４に記載の調整や放熱に便利なサーバーキャビネット。
【発明の詳細な説明】
【技術分野】
【０００１】
本発明はサーバー関連技術分野を取り上げて、具体的には調整や放熱に便利なサーバーキャビネットである。
【背景技術】
【０００２】
サーバーはコンピュータの一種であり、通常のコンピュータより高速で、負荷が高く、高価である。サーバーは、ネットワーク内の他のクライアント（ＰＣ、スマートフォン、ＡＴＭなどの端末、さらには鉄道システムなどの大型機器）にコンピューティングサービスまたはアプリケーションサービスを提供する。ビッグデータやクラウドコンピューティングなどの新技術の継続的な開発により、サーバーの使用も増加しており、その中でキャビネットサーバーが主に使用されている。多数のユーザーがサーバーにアクセスし、大量のデータ処理を行うため、サーバーは稼働中に大量の熱を発生し、放熱が適時でない場合、サーバーは過熱により損傷してしまうが、既存のサーバーキャビネットは温度の変化によってファンを制御して放熱できない。また、キャビネットは単一のサーバー用にカスタマイズされていないため、さまざまなサーバー型式に適応する必要があり、既存のサーバーキャビネットは、異なるタイプのサーバーに適切に調整および適合させることも、異なるサーバーモデルに従ってファンの回転速度を調整することもできない。
【先行技術文献】
【特許文献】
【０００３】
【特許文献１】中国特許出願公開第１０８３２３１２５号明細書
【発明の概要】
【発明が解決しようとする課題】
【０００４】
本発明の目的は調整や放熱に便利なサーバーキャビネットを提供し、それは上記の現在の技術中の問題を解決できる。
【課題を解決するための手段】
【０００５】
本発明の調整や放熱に便利なサーバーキャビネットは、本体を含み、前記本体の中には前方に開口した作業空間が設置され、前記作業空間の中には調節機構が設置され、前記作業空間の外側には放熱機構が設置され、前記本体の中において前記作業空間の上方には前記作業空間と連通した放熱空間が設置され、前記放熱空間の上方には第一プーリー空間が設置され、前記作業空間の下方には前記作業空間と連通した冷却空間が設置され、前記冷却空間の下方には第二プーリー空間が設置され、前記第二プーリー空間の下方には第三プーリー空間が設置され、前記第三プーリー空間の下方には変速空間が設置され、前記変速空間の中には変速機構が設置され、前記変速空間の後側には第一矩形溝が形成され、前記変速空間の右側には前記変速空間と連通した調節空間が設置され、前記調節空間の中には移動機構が設置され、前記調節空間の右側には第二矩形溝が形成され、前記本体の中には前記第三プーリー空間を貫通した第一親ねじが回転できるように設置され、前記第一親ねじの上端が前記作業空間の中に延びており、前記第一親ねじの上端が、前記作業空間の中に固定された第一位置制限ブロックに回転できるように連結され、前記第三プーリー空間の中には前記第一親ねじと固定的に連結された第一プーリーが設置され、前記第一親ねじの下端が前記第二矩形溝の中に延びており、前記第一親ねじの下端には第一傘歯車が固定的に設置されている。
【０００６】
優選的には、前記調節機構は、前記本体の中に回転できるように装着された第二親ねじを含み、前記第二親ねじが前記第三プーリー空間を貫通し、前記第二親ねじの上端が前記作業空間の中に延びており、前記第二親ねじの上端が、前記作業空間の中に固定された第二位置制限ブロックに回転できるように連結され、前記第三プーリー空間の中には前記第二親ねじと固定的に連結された第二プーリーが設置され、前記第二プーリーと前記第一プーリーとが第一ベルトにより伝動できるように連結され、前記第二親ねじの下端が前記本体の中に延びており、前記第二親ねじの下端には第一モーターが伝動できるように設置され、前記作業空間の中には前記第二親ねじと前記第一親ねじとねじ山により連結された装着板がスライドできるように設置され、前記装着板の中には上下に貫通した通気孔が設置され、前記作業空間の内壁には温度センサーとコントローラーが固定的に設置されている。
【０００７】
優選的には、前記放熱機構は、前記第一プーリー空間と前記放熱空間との間に回転できるように装着された第一駆動軸を含み、前記第一駆動軸の上端が前記第一プーリー空間の中に延びており、前記第一駆動軸の上端には第三プーリーが固定的に設置され、前記第一駆動軸の下端が前記放熱空間の中に延びており、前記第一駆動軸の上端には放熱ファンが固定的に設置され、前記放熱空間の中には第一埃離隔網が固定的に設置され、前記放熱空間の上方には前記放熱空間と連通しかつ上方に開口した放熱管が左右対称に設置され、前記冷却空間と前記第二プーリー空間との間には第二駆動軸が回転できるように設置され、前記第二駆動軸の上端が前記冷却空間の中に延びており、前記第二駆動軸の上端には冷却ファンが固定的に設置され、前記第二駆動軸の下端が前記第二プーリー空間の中に延びており、前記第二駆動軸の下端には第四プーリーが固定的に設置され、前記冷却空間の中には第二埃離隔網が固定的に設置され、前記第一プーリー空間と前記第一矩形溝との間には前記第二プーリー空間を貫通した第三駆動軸が回転できるように設置され、前記第三駆動軸の上端が前記第一プーリー空間の中に延びており、前記第三駆動軸の上端には第五プーリーが固定的に設置され、前記第五プーリーと前記第三プーリーとは第二ベルトにより伝動できるように連結され、前記第二プーリー空間の中には前記第三駆動軸と固定的に連結された第六プーリーが設置され、前記第六プーリーと前記第四プーリーとが第三ベルトにより伝動できるように連結され、前記第三駆動軸の下端が前記第一矩形溝の中に延びており、前記第三駆動軸の下端には第二傘歯車が固定的に設置されている。
【０００８】
優選的には、前記変速機構は、前記本体の中に回転できるように装着された第一スプライン軸を含み、前記第一スプライン軸が前記変速空間を貫通しており、前記第一スプライン軸の後端が前記第一矩形溝の中に延びており、前記第一スプライン軸の後端には前記第二傘歯車と噛み合った第三傘歯車が固定的に設置され、前記変速空間の中には前記第一スプライン軸とスプラインにより連結された第一摩擦輪が前後対称に設置され、前記第一摩擦輪の中には内方に開口したばね溝が形成され、二つの前記ばね溝の壁が圧縮ばねによって連結され、前記圧縮ばねが前記第一スプライン軸をカバーしている。
【０００９】
優選的には、前記移動機構は、前記調節空間の中にスライドできるように装着されたねじ山ブロックを含み、前記ねじ山ブロックの中には右方に開口した行程溝が形成され、前記調節空間と前記第二矩形溝との間には前記ねじ山ブロックとねじ山により連結された第三親ねじが回転できるように設置され、前記第三親ねじの右端が前記第二矩形溝の中に延びており、前記第三親ねじの右端には前記第一傘歯車と噛み合った第四傘歯車が固定的に設置され、前記ねじ山ブロックの上端には第一固定板が前後対称に且つ固定的に設置され、前記第一固定板の間には第四駆動軸が回転できるように設置され、前記調節空間の中には前記第四駆動軸と固定的に連結された第二摩擦輪が前後対称に設置され、前記第二摩擦輪が前記第一摩擦輪と接触しており、前記第四駆動軸の後端が前記第一固定板から伸び出し、前記第四駆動軸の後端には第五傘歯車が固定的に設置され、前記ねじ山ブロックの上端には第二固定板が固定的に設置され、前記第二固定板の中にはスプラインスリーブが回転できるように設置され、前記スプラインスリーブの左端が前記第二固定板から伸び出し、前記スプラインスリーブの左端には前記第五傘歯車と噛み合った第六傘歯車が固定的に設置され、前記調節空間の左右壁には前記スプラインスリーブとスプラインにより連結された第二スプライン軸が回転できるように設置され、前記第二スプライン軸の左端が前記本体の中に延びており、前記第二スプライン軸の左端には第二モーターが伝動できるように設置されている。
【発明の効果】
【００１０】
本発明は前記温度センサーによりサーバーの作業温度を監視し、温度が高すぎるとき前記冷却ファンを自動的に駆動して回転させて冷たい空気を生成し、前記冷たい気流が前記空気通過孔により前記作業空間に入り、冷たい気流が前記作業空間を経過するときサーバーを冷却し、前記放熱ファンの回転が前記作業空間における空気の流れ速度を早め、冷たい気流が前記作業空間の熱を連れ出す速度を早め、サーバーキャビネットの冷却効率が高くなり、また、本発明は前記第一モーターの回転を制御することにより前記作業空間の作動スペースと前記放熱ファンと前記冷却ファンの回転速度を調節し、サーバーを本発明と適合させ、異なる型式のサーバーの作動を実現する。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の構造概略図
【図２】図２は本発明の実施例の図１のＡ―Ａの概略図
【図３】図３は本発明の実施例の図１のＢ―Ｂの概略図
【図４】図４は本発明の実施例の図１のＣの拡大構造概略図
【図５】図５は本発明の実施例の図２のＤの拡大構造概略図
【発明を実施するための形態】
【００１３】
本発明の調整や放熱に便利なサーバーキャビネットは、本体１０を含み、前記本体１０の中には前方に開口した作業空間１１が設置され、前記作業空間１１の中には調節機構が設置され、前記作業空間１１の外側には放熱機構が設置され、前記本体１０の中において前記作業空間１１の上方には前記作業空間１１と連通した放熱空間４１が設置され、前記放熱空間４１の上方には第一プーリー空間４４が設置され、前記作業空間１１の下方には前記作業空間１１と連通した冷却空間１６が設置され、前記冷却空間１６の下方には第二プーリー空間３８が設置され、前記第二プーリー空間３８の下方には第三プーリー空間３７が設置され、前記第三プーリー空間３７の下方には変速空間１９が設置され、前記変速空間１９の中には変速機構が設置され、前記変速空間１９の後側には第一矩形溝５１が形成され、前記変速空間１９の右側には前記変速空間１９と連通した調節空間２９が設置され、前記調節空間２９の中には移動機構が設置され、前記調節空間２９の右側には第二矩形溝３２が形成され、前記本体１０の中には前記第三プーリー空間３７を貫通した第一親ねじ３５が回転できるように設置され、前記第一親ねじ３５の上端が前記作業空間１１の中に延びており、前記第一親ねじ３５の上端が、前記作業空間１１の中に固定された第一位置制限ブロック３９に回転できるように連結され、前記第三プーリー空間３７の中には前記第一親ねじ３５と固定的に連結された第一プーリー３６が設置され、前記第一親ねじ３５の下端が前記第二矩形溝３２の中に延びており、前記第一親ねじ３５の下端には第一傘歯車３３が固定的に設置されている。
【００１４】
有益的には、前記調節機構は、前記本体１０の中に回転できるように装着された第二親ねじ１５を含み、前記第二親ねじ１５が前記第三プーリー空間３７を貫通し、前記第二親ねじ１５の上端が前記作業空間１１の中に延びており、前記第二親ねじ１５の上端が、前記作業空間１１の中に固定された第二位置制限ブロック１３に回転できるように連結され、前記第三プーリー空間３７の中には前記第二親ねじ１５と固定的に連結された第二プーリー１７が設置され、前記第二プーリー１７と前記第一プーリー３６とが第一ベルト１８により伝動できるように連結され、前記第二親ねじ１５の下端が前記本体１０の中に延びており、前記第二親ねじ１５の下端には第一モーター２１が伝動できるように設置され、前記作業空間１１の中には前記第二親ねじ１５と前記第一親ねじ３５とねじ山により連結された装着板４０がスライドできるように設置され、前記装着板４０の中には上下に貫通した通気孔１２が設置され、前記作業空間１１の内壁には温度センサー６５とコントローラー６６が固定的に設置されている。
【００１５】
有益的には、前記放熱機構は、前記第一プーリー空間４４と前記放熱空間４１との間に回転できるように装着された第一駆動軸４２を含み、前記第一駆動軸４２の上端が前記第一プーリー空間４４の中に延びており、前記第一駆動軸４２の上端には第三プーリー４５が固定的に設置され、前記第一駆動軸４２の下端が前記放熱空間４１の中に延びており、前記第一駆動軸４２の上端には放熱ファン４７が固定的に設置され、前記放熱空間４１の中には第一埃離隔網４８が固定的に設置され、前記放熱空間４１の上方には前記放熱空間４１と連通しかつ上方に開口した放熱管４３が左右対称に設置され、前記冷却空間１６と前記第二プーリー空間３８との間には第二駆動軸６２が回転できるように設置され、前記第二駆動軸６２の上端が前記冷却空間１６の中に延びており、前記第二駆動軸６２の上端には冷却ファン６３が固定的に設置され、前記第二駆動軸６２の下端が前記第二プーリー空間３８の中に延びており、前記第二駆動軸６２の下端には第四プーリー５６が固定的に設置され、前記冷却空間１６の中には第二埃離隔網１４が固定的に設置され、前記第一プーリー空間４４と前記第一矩形溝５１との間には前記第二プーリー空間３８を貫通した第三駆動軸５８が回転できるように設置され、前記第三駆動軸５８の上端が前記第一プーリー空間４４の中に延びており、前記第三駆動軸５８の上端には第五プーリー５７が固定的に設置され、前記第五プーリー５５７と前記第三プーリー４５とは第二ベルト４６により伝動できるように連結され、前記第二プーリー空間３８の中には前記第三駆動軸５８と固定的に連結された第六プーリー６０が設置され、前記第六プーリー６０と前記第四プーリー５６とが第三ベルト５９により伝動できるように連結され、前記第三駆動軸５８の下端が前記第一矩形溝５１の中に延びており、前記第三駆動軸５８の下端には第二傘歯車６１が固定的に設置されている。
【００１６】
有益的には、前記変速機構は、前記本体１０の中に回転できるように装着された第一スプライン軸２３を含み、前記第一スプライン軸２３が前記変速空間１９を貫通しており、前記第一スプライン軸２３の後端が前記第一矩形溝５１の中に延びており、前記第一スプライン軸２３の後端には前記第二傘歯車６１と噛み合った第三傘歯車５０が固定的に設置され、前記変速空間１９の中には前記第一スプライン軸２３とスプラインにより連結された第一摩擦輪２０が前後対称に設置され、前記第一摩擦輪２０の中には内方に開口したばね溝２２が形成され、二つの前記ばね溝２２の壁が圧縮ばね４９によって連結され、前記圧縮ばね４９が前記第一スプライン軸２３をカバーしている。
【００１７】
有益的には、前記移動機構は、前記調節空間２９の中にスライドできるように装着されたねじ山ブロック２６を含み、前記ねじ山ブロック２６の中には右方に開口した行程溝２７が形成され、前記調節空間２９と前記第二矩形溝３２との間には前記ねじ山ブロック２６とねじ山により連結された第三親ねじ３０が回転できるように設置され、前記第三親ねじ３０の右端が前記第二矩形溝３２の中に延びており、前記第三親ねじ３０の右端には前記第一傘歯車３３と噛み合った第四傘歯車３１が固定的に設置され、前記ねじ山ブロック２６の上端には第一固定板５３が前後対称に且つ固定的に設置され、前記第一固定板５３の間には第四駆動軸５５が回転できるように設置され、前記調節空間２９の中には前記第四駆動軸５５と固定的に連結された第二摩擦輪５４が前後対称に設置され、前記第二摩擦輪５４が前記第一摩擦輪２０と接触しており、前記第四駆動軸５５の後端が前記第一固定板５３から伸び出し、前記第四駆動軸５５の後端には第五傘歯車６４が固定的に設置され、前記ねじ山ブロック２６の上端には第二固定板２８が固定的に設置され、前記第二固定板２８の中にはスプラインスリーブ２５が回転できるように設置され、前記スプラインスリーブ２５の左端が前記第二固定板２８から伸び出し、前記スプラインスリーブ２５の左端には前記第五傘歯車６４と噛み合った第六傘歯車２４が固定的に設置され、前記調節空間２９の左右壁には前記スプラインスリーブ２５とスプラインにより連結された第二スプライン軸３４が回転できるように設置され、前記第二スプライン軸３４の左端が前記本体１０の中に延びており、前記第二スプライン軸３４の左端には第二モーター５２が伝動できるように設置されている。
【００１８】
初期状態では、前記装着板４０は前記第二位置制限ブロック１３と前記第一位置制限ブロック３９と接触状態にあり、前記圧縮ばね４９が圧縮状態にあり、前記ねじ山ブロック２６が前記調節空間２９の左端位置にあり、
作動し始めるとき、作業員はまず前記装着板４０の上端に置く必要のあるサーバーの型式によって、前記第一モーター２１の回転を制御することにより前記作業空間１１の作動スペースと、前記放熱ファン４７と前記冷却ファン６３との回転速度を調節し、前記サーバーを本発明と適合させ、前記第一モーター２１が前記第二親ねじ１５により前記第二プーリー１７を回転させ、前記第二プーリー１７が前記第一ベルト１８により前記第一プーリー３６を回転させ、前記第一プーリー３６が前記第一親ねじ３５を回転させ、前記第一親ねじ３５が前記第二親ねじ１５を通じて前記装着板４０を駆動して下方へ移動させることにより前記作業空間１１の作動スペースを広げることで、異なる型式のサーバーを置くことができ、前記第一親ねじ３５が前記第一傘歯車３３を通じて前記第四傘歯車３１を回転させ、前記第四傘歯車３１が前記第三親ねじ３０を通じて前記ねじ山ブロック２６を駆動して右方へ移動させ、前記ねじ山ブロック２６が前記第一固定板５３を通じて前記第四駆動軸５５を駆動して右方へ移動させ、前記第四駆動軸５５が前記第二摩擦輪５４を右方へ移動させることにより前記第二摩擦輪５４と前記第一摩擦輪２０との接触位置を変え、前記第一摩擦輪２０の回転速度を早め、前記放熱ファン４７と前記冷却ファン６３の回転速度を早め、異なる型式のサーバーを放熱し、調節完了した後、前記第一モーター２１を制御して回転を止め、前記サーバーを前記装着板４０の上端に置いて作動させ、前記サーバーが作動するとき前記温度センサー６５が該エリアの作業温度を監視し、作業温度が前記温度センサー６５の設定温度を超えると、前記温度センサー６５がデータを前記コントローラー６６に伝達し、前記コントローラー６６が前記第二モーター５２を制御して正方向に始動し、前記第二モーター５２が前記第二スプライン軸３４により前記スプラインスリーブ２５を回転させ、前記スプラインスリーブ２５が前記第六傘歯車２４により前記第五傘歯車６４を回転させ、前記第五傘歯車６４が前記第四駆動軸５５により前記第二摩擦輪５４を回転させ、前記第二摩擦輪５４が前記第一摩擦輪２０により前記第一スプライン軸２３を回転させ、前記第一スプライン軸２３が前記第三傘歯車５０により前記第二傘歯車６１を回転させ、前記第二傘歯車６１が前記第六プーリー６０を回転させ、前記第六プーリー６０が前記第三ベルト５９により前記第四プーリー５６を回転させ、前記第四プーリー５６が前記第二駆動軸６２により前記第二駆動軸６２を回転させ、前記第二駆動軸６２が前記冷却ファン６３を回転させ、前記第三駆動軸５８が前記第五プーリー５７を回転させ、前記第五プーリー５７が前記第二ベルト４６により前記第三プーリー４５を回転させ、前記第三プーリー４５が前記第一駆動軸４２により前記放熱ファン４７を回転させ、これにより前記装着板４０に装着されたサーバーを冷却し、熱い空気が前記装着板４０の中にある通気孔１２により前記作業空間１１の頂部に排出され、最後に前記放熱管４２により排出され、前記放熱ファン４７の回転が前記作業空間１１の空気の流れ速度を早め、これにより冷たい気流が前記作業空間の熱を連れ出す速度を早める。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】      （修正有）【課題】調整や放熱に便利なサーバーキャビネットを提供する。【解決手段】サーバキャビネットにおいて、本体１０を含み、本体の中には前方に開口した作業空間１１が設置され、作業空間の中には調節機構が設置され、作業空間の外側には放熱機構が設置され、本体の中において作業空間の上方には作業空間と連通した放熱空間４１が設置され、放熱空間の上方には第一プーリー空間４４が設置され、作業空間の下方には作業空間と連通した冷却空間１６が設置され、冷却空間の下方には第二プーリー空間３８が設置され、第二プーリー空間の下方には第三プーリー空間３７が設置され、第三プーリー空間の下方には変速空間１９が設置され、変速空間の中には変速機構が設置され、変速空間の後側には第一矩形溝が形成され、変速空間の右側には変速空間と連通した調節空間２９が設置されている。【選択図】図１【図１】
0006859546.tif 000002
【図２】
0006859546.tif 000003
【図３】
0006859546.tif 000004
【図４】
0006859546.tif 000005
【図５】
0006859546.tif 000006